(57)【要約】【課題】  従来は、空港の滑走路周辺又は軌道敷及び道路、農耕地融雪、融氷及び凍結防止において、凍結防止剤が及ぼす土壌の酸性化及び鋼製品の錆発生等、塩害による自然環境への影響を無くし、融雪、融氷及び凍結防止効果及び土壌に効果が持続する凍結防止財を提供する。【解決手段】魚油、尿素、ＰＨ８.５以上の強アルカリ天然温泉水及び炭酸カルシウムを含有する顆粒物であって、前記の素材の顆粒物は無塩基質であることを特徴とする【選択図】  図１
2011202150.tif 000002
【特許請求の範囲】
【請求項１】
魚油、尿素、ＰＨ８.５以上の強アルカリ天然温泉水及び炭酸カルシウムを含
有する顆粒物であって、前記の素材の顆粒物は無塩基質であることを特徴とす
る凍結防止剤。
【請求項２】
魚油、ＰＨ８.５の強アルカリ天然温泉水及び尿素が、下記（Ａ）、（Ｂ）、（Ｃ）、
に示す割合で配合されていることを特徴とする請求項１に記載の凍結防止剤。
（Ａ）魚油：炭酸カルシウムの配合料に対して、１.０〜５.０重量％。
（Ｂ）ＰＨ８.５強アルカリ天然温泉水：
炭酸カルシウムの配合料に対して１.０〜２.０重量％。
（Ｃ）尿素：ＰＨ８.５以上の強アルカリ天然温泉水の割合が３０〜４０重量％。
（Ｄ）炭酸カルシウム：１.０Ｋg。
【請求項３】
融雪、融氷、凍結防止用として、耕作地に散布できることを特徴とする請
求項１に記載する凍結防止剤。
【請求項４】
魚油及び尿素にＰＨ８.５以上の強アルカリ天然温泉水を添加し、乳化剤を使
わずにエマルション化（乳化）したバインダ−液により、炭酸カルシウムと混
合した顆粒状の凍結防止剤の製造方法。
【発明の詳細な説明】
【技術分野】
【０００１】
本発明は、降雪地や寒冷地で広範囲に積もった雪や氷を融解して流し去らせ、
凍結を防止するために散布する塩害のない凍結防止剤とその製造方法に関する。
【背景技術】
【０００２】
従来は、空港滑の走路周辺や軌道敷の凍結防止剤としては塩化物系の塩化カ
ルシウムや岩塩は、塩基を含有する凍結防止剤で塩害問題が伴うため使用出来
なかった。
【０００３】
これに代わって酢酸塩系の酢酸カリウム、酢酸ナトリウム、酢酸カルシウム
のほか、酢酸カルシウム・炭酸（酢酸）マグネシウム・カリウム等があり、比
較的安価で道路等の凍結防止効果はあるが、それぞれの凍結防止剤は塩害等の
害を引き起こす。
【０００４】
塩化物による塩害は著しいものがあり、特に自然環境に及ぼす影響は多大な
ものがあり見直しを迫られているため、塩害の少ない凍結防止剤の開発も行な
われている。
【０００５】
その文献を下記に示す。例えば、下記特許文献１にはアルカリ性カンラン玄
武岩を用い、特許文献２には、水酸マグネシウムを用い、特許文献３には、フ
ェノ−ル類を用い、また、特許文献４には、酢酸ナトリウムと尿素が用いられ
ている。特許文献５には酢酸ナトリウムと尿素を用いている凍結防止剤が記載
されている。
【先行技術文献】
【特許文献】
【０００６】
【特許文献１】特開2005−344056号公報
【特許文献２】特開2005−290252号公報
【特許文献３】特開2004−352854号公報
【特許文献４】特開2004−067824号公報
【特許文献５】特開2002−020734号公報
【発明の概要】
【発明が解決しようとする課題】
【０００７】
上記の特許文献１〜５に記載された凍結防止剤によれば、従来の塩基性質の
凍結防止剤に比してその塩害は低減されている。しかし、依然として塩害が認
められ、塩害が低減された凍結防止剤は、そのコストも高いものとなっている。
【０００８】
本発明の目的は、上記問題点を解決するため塩害がなく、且つ、材料費が低
減できる凍結防止剤を提供することにある。
【０００９】
前記目的を達成すべく発明者が研究を重ねたところ、魚油、尿素、ＰＨ８.５
以上の強アルカリ天然温泉水及び炭酸カルシウムを用いた凍結防止剤は、融解
して流れ去る水となり、酸性土壌の改良や肥料となる。凍結防止を果たしつつ、
塩害をなくすことを見出した。
【課題を解決するための手段】
【００１０】
前記目的を達成するため、請求項１に記載した凍結防止剤は、魚油、尿素、Ｐ
Ｈ８.５以上の強アルカリ天然温泉水及び炭酸カルシウムを含有する顆粒物であ
って、前記の素材の顆粒物は無塩基質であることを特徴とする凍結防止剤。
【００１１】
請求項２に記載した凍結防止剤は、請求項１に記載したものであって、魚油、
ＰＨ８.５の強アルカリ天然温泉水及び尿素が、下記（Ａ）、（Ｂ）、（Ｃ）、に示す
合で配合されていることを特徴とする凍結防止剤。
（Ａ）魚油：炭酸カルシウムの配合料に対して、１.０〜５.０重量％。
（Ｂ）ＰＨ８.５強アルカリ天然温泉水：
炭酸カルシウムの配合料に対して１.０〜２.０重量％。
（Ｃ） 尿素：ＰＨ８.５以上の強アルカリ天然温泉水の割合が３０〜４０重量％。
（Ｄ）炭酸カルシウム：１.０Ｋｇ
【００１２】
請求項３に記載した凍結防止剤は、請求項１に記載されたものであって、
融雪、融氷、凍結防止用として、耕作地に散布できることを特徴とする凍結防止剤。
【００１３】
請求項4の凍結防止剤製造方法は、魚油及び尿素にＰＨ８.５以上の強アルカ
リ天然温泉水を添加し、乳化剤を使わずにエマルション化（乳化）したバイン
ダ−液により、炭酸カルシウムと混合した顆粒状の凍結防止剤の製造方法。
【発明の効果】
【００１４】
本発明の請求項1に記載する凍結防止剤によれば、魚油及びＰＨ８.５以上の
強アルカリ天然温泉水と炭酸カルシウムは天然素材からなり、尿素は極めて水
に溶けに溶け易く、それぞれの素材は凍結防止効果が得られる。また、融雪時
に発生した水はアルカリ性で、無塩基であるため全く塩害がなく、土壌改良、
植栽及び自然環境に適した効果を有する。
【図面の簡単な説明】
【００１５】
【図１】本発明に係る製造方法を説明するチャ−トである。
【図２】本発明に係る製造方法に用いる製造装置の一例を示す概  略図である。
【図３】本発明に係る凍結防止剤の散布条件を示す表である。
【発明を実施するための形態】
【００１６】
本発明の凍結防止剤に混入する魚油またはＥＰＡ（エイコサペンタエン酸で
純度18％以上）、鮫肝油の多くが医薬品や健康補助食品に用いられ効果を得てい
る。本凍結防止剤は、ＥＰＡの使用が特に好ましく、前記同様の鮫肝油も使う
ことができ、分量は、炭酸カルシウム１Ｋｇに対し、魚油１.０〜５.０％（重量％）
使用が好ましい。魚油関連は、一般販売はないが専門分野で比較的簡単に入手
できる。
【００１７】
本発明の凍結防止剤に伴う混合材の尿素は、医薬品、試薬、工業用、肥料の
用途があり様々な用途に効果的に使っている。  本凍結防止材の尿素は、工業
用（純度９９％）又は肥料用を用いる。融雪、融氷、凍結防止は、極めて水に
溶け易いアルカリ成分も高い尿素を用いて溶解を早め持続性を伴う。
【００１８】
本発明の乳化するための手段は、高速攪拌を行なう、上記の材料及びＰＨ８
.５〜１１.０の強アルカリ天然温泉水によりエマルション化し、テ−リング剤
とする。ＰＨ８.５〜１１.０の強アルカリ天然天然温泉水は、油成分の溶解を早
め、油成分の酸化防止を図るが人体等に対する悪影響は全くない。  
【００１９】
ＰＨ８.５〜１１.０の強アルカリ天然温泉水温泉水の多くは、浴用及び化粧品
として用いられ、これらの移動は、パイプ配管及びタンクロ−リによる。
上記の素材の強アルカリ成分により、魚油のやや酸性成分による劣化を防ぐ。
強アルカリ天然温泉水の入手方法は、全国の温泉分布により把握できる。
【００２０】
本発明の凍結防止剤のボリウムを附け、造粒を容易にするため、炭酸カルシ
ウム１Ｋｇを基準に用いる。炭酸カルシウムは、医薬品、試薬、消毒薬、土壌改
良、グランドの白線用、漂白剤等々に使われていて、生石灰及び消石灰等の呼
び名もある。本凍結防止の材料は、やや白色粉末のパウダ−状であり、飽和水
溶液のＰＨは、１２.４であるが使用上の危険性はない。
【００２１】
本発明の凍結防止剤は、魚油と尿素にＰＨ８.５以上の強アルカリ天然温泉水
を加え、乳化剤を用いず高速攪拌し、エマルション化させ、炭酸カルシウムと
混合し、造粒して乾燥させることにより製品化する。
【００２２】
本凍結防止剤は、炭酸カルシウム１Ｋｇを基準とした割合で、魚油、尿素、Ｐ
Ｈ８.５以上の強アルカリ天然温泉水をそれぞれの対比（重量％）で混入し乳化
（バインダ−液）させ、２.０〜３.０ｍｍ程度の顆粒状に仕上げ、乾燥させた凍結
防止剤である。
【実施例】
【００２３】
本発明の１例を図１及び図２を用いて製造した。素材保存サイロ及び保存庫、
からそれぞれのホッパ−に、初期入力のとおり自動制御により移動し、魚油、
尿素とＰＨ８.５以上の強アルカリ天然温泉水は、ミキシングタンク内で、市販
の高速攪拌機により高速攪拌しつつ乳化したものを造粒機へ自動制御により送
り込む。
【００２４】
上記記載の乳化したものをバインダ−液とし、造粒機内で炭酸カルシウムを
混入することにより混和させ造粒する。
造粒は、市販のバッチ方式又は連続方式の造粒機により、材料供給から排出
を全自動制御による造粒製造方法とする。
【００２５】
造粒された製品は、市販の乾燥機で含水率５％まで乾燥し、ふるいに掛けて
完成品となる。造粒機内又はふるい下の完成品以外の材料は、再び造粒機に戻
し、新しい素材と混入し再造粒できる。
【００２６】
完成した凍結防止剤は、防水を施した２０Ｋｇ袋詰め又はフレコンバック詰め
にして輸送し、バラ状態の製品はタンクロ−リ−により輸送する。
【００２７】
本発明の融雪、融氷、凍結防止剤の試験方法について、図３の（表）に基づいて説明する。例えば、外気温度が０℃〜―５℃のとき又は、−１０℃〜−２０℃のときに分け、使
用方法・散布量の目安は散布面積１平米当りに対し、下記のとおりとする。
i)  散布する場所が乾燥状態で事前散布の場合、１００ｇを均等に散布。
ii)  積雪１cm〜２cmで路面凍結ない場合、８０ｇ〜１００ｇを散布。
iii)  積雪２cm〜５cmで路面に凍結ある場合、１００ｇ〜１２０ｇ散布。
iv)  積雪５cm〜１０cmで路面凍結ある場合、１５０ｇ〜１８０ｇ散布。
v)積雪１０cm以上で路面凍結ある場合、除雪して積雪２〜３cm程度にした
上、１２０g散布する。
vi)  アイスバ−ンで連続凍結の場合、短時間に融氷効果を上げるため１８０
ｇの分量を均等になるように散布し載せる。
vii)  農業耕作地における融雪においては、面積１平米当り、本凍結剤１８０ｇ程度以上を雪の上に均等に載せておく。
viii)散布方法は、人力による手散布又は散布車による散布方法。
【００２８】
路面等が事前に濡れた状態で、凍結の心配があるような場合は、１平米当りの
散布量は、１５０ｇ程度とする。  
【００２９】
田、畑等の農耕地における早期消雪目的使用の場合、１平米当りの散布量は、
１８０ｇ程度以上散布する。
【産業上の利用可能性】
【００３０】
本発明の融雪剤又は融氷剤及び凍結防止剤は、従来の融雪又は融氷及び凍結
防止剤と異なり、塩害の恐れは全く無く、人体及び自然環境に適応できる成分
を主体として構築されたものであり、融雪又は融氷及び凍結防止のために散布
使用量を誤って多量に散布した場合であっても周囲に対する塩害等の悪影響は
全くなく、従来の凍結防止剤と比較した場合も低コストのため、今後は、空港
や精密機器取り扱い場所は勿論、軌道敷並びに道路及び農耕地においても広く
用いることが可能となり、従来からの課題の解決を図ることができ、社会に大
きく貢献することができる。
【図１】
2011202150.tif 000003
【図２】
2011202150.tif 000004
【図３】
2011202150.tif 000005